(57)【要約】【課題】膜電極接合体の不良部位を識別する識別マークが膜電極接合体から消失することなく、不良部位を確実に検出することができる膜電極接合体の検査方法を提供する。【解決手段】本発明の膜電極接合体１０の検査方法は、少なくとも複合電解質膜２０とアノードＧＤＬ２１とを含む膜電極接合体１０の検査方法であって、膜電極接合体１０の不良部位を検出する工程と、膜電極接合体１０の不良部位に識別マークを形成する識別マーク形成工程とを備える。そして、識別マーク形成工程では、膜電極接合体１０の不良部位を押圧してアノードＧＤＬ２１にダメージ痕であるひび割れＨ（しわＭ）を形成する。【選択図】図５
2019071199.tif 000002
【特許請求の範囲】
【請求項１】
少なくとも電解質膜と該電解質膜に接合された構成部材とを含む膜電極接合体の検査方法において、
前記膜電極接合体の不良部位を検出する工程と、
前記膜電極接合体の不良部位に識別マークを形成する識別マーク形成工程と、を備え、
前記識別マーク形成工程では、前記膜電極接合体の不良部位を押圧して前記構成部材にダメージ痕を形成することを特徴とする膜電極接合体の検査方法。
【発明の詳細な説明】
【技術分野】
【０００１】
本発明は、不良部位に識別マークを形成する膜電極接合体の検査方法に関する。
【背景技術】
【０００２】
この種の膜電極接合体の検査方法として、膜電極接合体を構成する一の部材を検査する第１検査工程と、この検査に基づき不良と判定された一の部材に、検査結果の情報が入ったラベルからなる識別マークを取り付ける取付工程と、この取付工程の後に、膜電極接合体を構成する他の部材の識別マークを撮影し、撮影結果に基づいて膜電極接合体を構成する他の部材の検査結果を入手する第２検査工程とを備える膜電極接合体の検査方法が開示されている（特許文献１参照）。
【０００３】
また、膜電極接合体にレーザー照射をすることでマーキングパターンを形成する方法が提案されている（特許文献２参照）。
【先行技術文献】
【特許文献】
【０００４】
【特許文献１】特開２０１６−１１５４３９号公報
【特許文献２】特開２００４−３５８８２４号公報
【発明の概要】
【発明が解決しようとする課題】
【０００５】
特許文献１の検査方法では、ラベルを取り付ける取付工程で、ラベルを膜電極接合体の電解質膜に貼り付けており、このラベルを検査カメラで撮影するよう、ラベルが露出している。そして、ラベルが露出した状態で検査工程が行われるとともに、膜電極接合体の製造工程においてもラベルが露出した状態で膜電極接合体が搬送される工程がある。したがって、例えば、搬送工程においてラベルが搬送ロールなどの製造設備に接触して、膜電極接合体から剥がれて消失してしまうおそれがあるという問題がある。
【０００６】
特許文献２の方法では、膜電極接合体における触媒の状態がレーザー照射に適していない場合があり、かかる場合にレーザー照射すると触媒が高温化するおそれがあるという問題がある。
【０００７】
本発明は、このような問題を解決するためになされたもので、膜電極接合体の不良部位を識別する識別マークが膜電極接合体から消失することなく、不良部位を確実に検出することができる膜電極接合体の検査方法を提供することを課題とする。
【課題を解決するための手段】
【０００８】
本発明に係る膜電極接合体の検査方法は、少なくとも電解質膜と該電解質膜に接合された構成要素とを含む膜電極接合体の検査方法において、前記膜電極接合体の不良部位を検出する工程と、前記膜電極接合体の不良部位に識別マークを形成する識別マーク形成工程と、を備え、前記識別マーク形成工程では、前記膜電極接合体の不良部位を押圧して前記構成部材にダメージ痕を形成することを特徴とする。
【０００９】
本発明に係る膜電極接合体の検査方法によれば、押圧によってダメージ痕という物理的な識別マークを形成するので、上記従来技術のラベルのように搬送工程において製造設備に接触しても、膜電極接合体から剥がれて消失することはない。また、押圧によってダメージ痕を形成するので、レーザー照射のように触媒の状態に影響を受けることなく、形成することができる。
【発明の効果】
【００１０】
本発明によれば、膜電極接合体の不良部位を識別する識別マークが膜電極接合体から消失することなく、不良部位を確実に検出することができる膜電極接合体の検査方法を提供することができる。
【図面の簡単な説明】
【００１１】
【図１】本発明の実施形態に係る膜電極接合体の検査方法により検査される膜電極接合体の図であり、図１（ａ）は、膜電極接合体の分解斜視図を示し、図１（ｂ）は、膜電極接合体の断面図を示す。
【図２】本発明の実施形態に係る膜電極接合体の検査方法を含む燃料電池の製造方法を示すフローチャート。
【図３】本発明の実施形態に係る膜電極接合体の検査方法を模式的に示す説明図。
【図４】本発明の実施形態に係る膜電極接合体の検査方法に適用する識別マーク形成装置の部分断面図であり、図４（ａ）は、膜電極接合体に識別マークを形成する前の状態を示し、図４（ｂ）は、膜電極接合体に識別マークを形成した状態を示す。
【図５】本発明の実施形態に係る膜電極接合体の検査方法に適用する膜電極接合体の図であり、図５（ａ）は、識別マークを形成した膜電極接合体の平面図を示し、図４（ｂ）は、識別マークを形成した膜電極接合体を図５（ａ）のＡ−Ａで切断した膜電極接合体の断面図を示す。
【発明を実施するための形態】
【００１２】
本発明に係る膜電極接合体の検査方法を適用した実施形態に係る膜電極接合体１０の検査方法を含む燃料電池の製造方法について図面を参照して説明する。まず、実施形態に係る膜電極接合体１０の構成について説明する。
【００１３】
実施形態に係る膜電極接合体１０は、図１（ａ）および図１（ｂ）に示すように、シート状に形成された複合電解質膜２０と、複合電解質膜２０の一方面に積層されたアノードガス拡散層（ＧＤＬ：Gas Diffusion Layer、以下アノードＧＤＬという。）２１を備えている。複合電解質膜２０は、本発明に係る膜電極接合体の検査方法における電解質膜に対応する。なお、アノードＧＤＬ２１の替わりにカソードＧＤＬを用いてもよい。
【００１４】
複合電解質膜２０は、電解質膜２２と、電解質膜２２の一方の面に積層されたアノード触媒層２３と、他方の面に積層されたカソード触媒層２４とにより構成されている。
【００１５】
電解質膜２２は、パーフルオロスルホン酸（ＰＦＳＡ）アイオノマーなどの固体高分子材料である高分子電解質樹脂で形成されており、イオン伝導性を有する高分子膜を電解質とするイオン交換膜からなる。電解質膜２２は、電子および気体の流通を阻止するとともに、プロトンをアノード触媒層２３からカソード触媒層２４に移動させる機能を有している。
【００１６】
アノード触媒層２３は、白金や白金合金などの触媒を担持した導電性の担体からなり、例えば、触媒担持カーボン粒子などのカーボン粒子を、プロトン伝導性を有するアイオノマーで被覆して形成された電極触媒層からなる。なお、アイオノマーは、電解質膜２２と同質のフッ素系樹脂などの固体高分子材料である高分子電解質樹脂からなり、その有するイオン交換基によりプロトン伝導性を有する。アノード触媒層２３は、水素ガスをプロトンと電子に分解する機能を有している。
【００１７】
カソード触媒層２４は、アノード触媒層２３と同様の材料で形成されているが、アノード触媒層２３と異なり、プロトンと電子と酸素から水を生成する機能を有している。
【００１８】
アノードＧＤＬ２１は、ガス透過性および導電性を有する材料、例えば、カーボンペーパーやカーボンクロスなどの炭素繊維や黒鉛繊維などの多孔質の繊維基材で形成されている。アノードＧＤＬ２１は、アノード触媒層２３の外側に接合されており、水素（Ｈ）ガスを拡散させて均一にし、アノード触媒層２３に行き渡らせる機能を有している。なお、アノード触媒層２３側に接合されたアノードＧＤＬ２１に替えて、カソード触媒層２４側に接合されたカソードＧＤＬであってもよい。このカソードＧＤＬも、アノードＧＤＬ２１と同様に構成される。
【００１９】
次いで、実施形態に係る膜電極接合体１０の検査方法を含む燃料電池の製造方法について図面を参照して説明する。
【００２０】
本実施形態に係る膜電極接合体１０の検査方法を含む燃料電池の製造方法は、図２に示すように、複合電解質膜およびアノードＧＤＬ作製工程と、接合工程と、裁断工程と、外観検査工程と、セル化工程と、スタック化工程と、発電検査工程と出荷工程とにより構成されている。これらの各工程は順次行われる。本実施形態に係る膜電極接合体１０の検査方法を含む燃料電池の製造方法における接合工程は、本発明に係る膜電極接合体の検査方法を構成する。
【００２１】
複合電解質膜およびアノードＧＤＬ作製工程では、複合電解質膜２０およびアノードＧＤＬ２１が公知の製造方法によりそれぞれ作製される（ステップＳ１）。例えば、複合電解質膜２０は、アノード触媒層付基材シートの形成工程と、カソード触媒層付基材シートの形成工程と、転写工程と、基材シートの剥離工程とを経て作製される。
【００２２】
アノード触媒層付基材シートの形成工程では、基材シート上にアノード触媒インクを塗布して乾燥させてアノード触媒層付基材シートを形成し、カソード触媒層付基材シートの形成工程では、基材シート上にカソード触媒インクを塗布して乾燥させてカソード触媒層付基材シートを作製する。転写工程では、転写装置により、電解質膜２２にアノード触媒層付基材シートからアノード触媒層を転写するとともに、電解質膜２２にカソード触媒層付基材シートからカソード触媒層を転写する。
【００２３】
基材シートの剥離工程では、転写工程の後に、アノード触媒層付基材シートから基材シートを、カソード触媒層付基材シートから基材シートをそれぞれ剥離させる。これらの各工程を経て、電解質膜２２の両面にアノード触媒層２３およびカソード触媒層２４が積層された複合電解質膜２０が作製される。
【００２４】
アノードＧＤＬ２１も、公知の製造方法により作製される。例えば、撥水処理工程と、塗布工程と、熱処理工程とを含む工程により作製される。撥水処理工程では、カーボンペーパーに撥水処理が施され、塗布工程では、撥水処理がなされたカーボンペーパーに多孔質層用ペーストが塗布される。
【００２５】
熱処理工程では、多孔質層用ペーストが塗布されたカーボンペーパーに所定の温度および時間で熱処理がなされる。これらの各工程を経て、アノードＧＤＬ２１は、多孔質層およびカーボンペーパーからなる長尺状の積層体として作製される。複合電解質膜およびアノードＧＤＬ作製工程において作製された複合電解質膜２０およびアノードＧＤＬ２１は、接合工程に送られる。
【００２６】
接合工程は、図３に示すように、接合装置３０と、送りロール４０と、検出カメラ５０と、識別マーク形成装置６０と、巻取ロール７０を用いて行われる。接合工程では、まず、長尺状の複合電解質膜２０およびアノードＧＤＬ２１が接合装置３０を構成する接合ロール３０ａと接合ロール３０ｂとの間に所定の搬送速度（ｍ／ｍｉｎ）で引き込まれる。
【００２７】
続いて、所定の温度（℃）になるよう加熱された接合ロール３０ａおよび接合ロール３０ｂにより、複合電解質膜２０およびアノードＧＤＬ２１が所定の接合圧力（ｋＮ）で押圧されて互いに接合される（ステップＳ２）。この接合により、長尺状の膜電極接合体１０が形成され、接合装置３０から送りロール４０に向けて送り出される。なお、所定の搬送速度は、１ｍ／ｍｉｎ〜１０ｍ／ｍｉｎで、所定の温度は、１００℃〜１８０℃で、所定の接合圧力は、２ｋＮ〜８ｋＮでそれぞれ適宜設定される。
【００２８】
送りロール４０は、長尺状の膜電極接合体１０を送り出す。送りロール４０によって送り出された膜電極接合体１０は、検出カメラ５０によって撮像される。検出カメラ５０は、例えば、ＣＣＤ（Charge-Coupled Device）イメージセンサやＣＭＯＳ(Complementary metal-oxide-semiconductor)イメージセンサなどの撮像素子で構成されている。検出カメラ５０は、搬送される長尺状の膜電極接合体１０の複合電解質膜２０を撮像するよう、複合電解質膜２０と対向する位置に設けられている。
【００２９】
検出カメラ５０は、搬送される複合電解質膜２０の露出面を連続的に、または搬送速度に応じて所定時間間隔で、撮像し（ステップＳ３）、撮像データに基づいて膜電極接合体１０に不良部位があるか否かを検出する。検出カメラ５０は、膜電極接合体１０に不良部位があることを検出したときは、その検出結果を識別マーク形成工程における識別マーク形成装置６０に送信する（ステップＳ４）。
【００３０】
識別マーク形成工程では、膜電極接合体１０の不良部位を押圧して、アノードＧＤＬ２１に物理的なダメージを与え、ダメージ痕を形成する処理が行われる。識別マーク形成工程は、識別マーク形成装置６０によって行われる（ステップＳ５）。識別マーク形成装置６０は、図４（ａ）に示すように、搬送される膜電極接合体１０のアノードＧＤＬ２１の表面と対向して設けられたＶブロック６１と、搬送される膜電極接合体１０の複合電解質膜２０の表面と対向して設けられた押圧棒６２とにより構成されている。
【００３１】
Ｖブロック６１には、Ｖの字形状の断面を有する溝６１ａが、図３の矢印ａで示す膜電極接合体１０の搬送方向に直交して形成されている。押圧棒６２は、溝６１ａにおける搬送方向の溝幅よりも比較的大きい直径を有する丸棒で形成されている。
【００３２】
識別マーク形成装置６０は、検出カメラ５０から送信される検出結果が不良部位有りのときは、不良部位の到達タイミングに合わせて動作するようになっている。即ち、識別マーク形成装置６０は、図４（ｂ）に示すように、検出された不良部位に対して、不良部位の到達タイミングに合わせて押圧棒６２がＶブロック６１に向けて矢印ｂ方向に移動することにより、搬送される膜電極接合体１０の複合電解質膜２０の表面を所定の圧力（ＭＰａ）で押圧するようになっている。なお、所定の圧力は、膜電極接合体１０の材質、厚みおよび幅などの設定諸元や実験値などのデータに基づき、複合電解質膜２０が破損しない圧力で適宜選択される。
【００３３】
識別マーク形成装置６０は、検出カメラ５０から送信される検出結果が不良部位無しのときは、動作しない。識別マーク形成装置６０が、動作しないときは、Ｖブロック６１および押圧棒６２は膜電極接合体１０から離隔しており、膜電極接合体１０の搬送に影響がないよう構成されている。
【００３４】
押圧棒６２による複合電解質膜２０への押圧により、複合電解質膜２０とともに膜電極接合体１０を構成する構成部材であるアノードＧＤＬ２１に物理的なダメージが与えられ、図４（ｂ）に示すように、アノードＧＤＬ２１の一部のみが破損し、ダメージ痕であるひび割れＨが形成される。ひび割れＨは、アノードＧＤＬ２１の表面から深さ方向に向かって生じ、搬送方向に直交する幅全体に亘って形成される。
【００３５】
アノードＧＤＬ２１の一部のみの破損により、複合電解質膜２０には、図５（ａ）および図５（ｂ）に示すように、しわＭが搬送方向に直交する幅全体に形成される。複合電解質膜２０のしわＭは、アノードＧＤＬ２１のひび割れＨに沿って形成される。ひび割れＨとしわＭは、本発明に係る膜電極接合体の検査方法における識別マークをそれぞれ構成する。
【００３６】
ステップＳ５の識別マーク形成工程では、膜電極接合体１０を構成する構成部材のうち、アノードＧＤＬ２１はその一部が破損するが、複合電解質膜２０は破損しない。したがって、膜電極接合体１０の搬送への影響はない。
【００３７】
識別マーク形成装置６０を通過した長尺状の膜電極接合体１０は、識別マーク形成装置６０の搬送方向下流側に設けられている巻取ロール７０に巻き取られ、膜電極接合体１０の巻取ロールが作製され（ステップＳ６）。この膜電極接合体１０の巻取ロールは後工程の裁断工程に送られる。
【００３８】
裁断工程では、接合工程で作製された膜電極接合体１０の巻取ロールが巻き出され（ステップＳ７）、公知のシート裁断装置により、長尺状の膜電極接合体１０が裁断されて枚葉状の膜電極接合体１０が取得される（ステップＳ８）。例えば、シート裁断装置は、枚葉状の膜電極接合体１０と同様の大きさで形成された方形の貫通孔を有するパンチと、長尺状の膜電極接合体１０を挟んでパンチと対向して設けられたダイとにより構成されている。
【００３９】
このシート裁断装置のパンチとダイとの協働により長尺状の膜電極接合体１０から枚葉状の膜電極接合体１０が切り抜かれる。裁断工程において切り抜かれた枚葉状の膜電極接合体１０は、外観検査工程に送られる。
【００４０】
外観検査工程では、公知の外観検査方法により、複合電解質膜２０に形成された図５（ａ）および図５（ｂ）に示す、しわＭの有無が検出される（ステップＳ９）。外観検査では、検出カメラで枚葉状の膜電極接合体１０を撮像し、撮像データに基づいてしわＭの有無が検出される。検出カメラは、検出カメラ５０と同様に、ＣＣＤイメージセンサやＣＭＯＳイメージセンサなどの撮像素子で構成されている。外観検査工程においてしわＭが検出された膜電極接合体１０は、不良品として廃棄され（ステップＳ１４）、しわＭが検出されなかった膜電極接合体１０は、セル化工程に送られる。なお、本実施例では、しわＭを検出カメラ５０で検出する場合を例に説明したが、ダメージ痕であるひび割れＨを検出カメラ５０で検出する構成としても良い。
【００４１】
セル化工程では、外観検査工程でしわＭが検出されなかった枚葉状の膜電極接合体１０に対して、他の工程で作製されたカソードＧＤＬが膜電極接合体１０のカソード触媒層２４の外側に接合される。また、アノードＧＤＬ２１の外側にアノード側セパレータが積層され、カソードＧＤＬの外側にカソード側セパレータが積層される。さらに、アノード側セパレータとカソード側セパレータとの間にアノード側セパレータおよびカソード側セパレータを密封する板状シール部材が接着される（ステップＳ１０）。
【００４２】
アノード側セパレータには、アノードＧＤＬ２１との当接面に、アノードＧＤＬ２１の表面に沿って燃料ガスとしての水素を流すための燃料ガス流路が形成されている。カソード側セパレータには、カソードＧＤＬとの当接面に、カソードＧＤＬの表面に沿って酸化剤ガスとしての空気を流すための酸化剤ガス流路が形成されている。
【００４３】
セル化工程では、膜電極接合体１０、カソードＧＤＬ、アノード側セパレータ、カソード側セパレータおよび板状シール部材を用いたセルの組み立てが行われ、燃料電池セルが作製される。作製された燃料電池セルは、スタック化工程に送られる。
【００４４】
スタック化工程では、燃料電池セルが複数積層されたスタックが形成され、積層された複数の燃料電池セル同士は電気的に接続される。導電性を有する集電板が、燃料電池セルの積層方向におけるスタックの両端外側に配置され、集電板はスタックと電気的に接続される。集電板の外側に、スタックを挟み込み集電板と絶縁される一対のエンドプレートが配置され、一対のエンドプレートはスタックのまわりを覆う側板によって締結されて、スタックが保持される。
【００４５】
さらに、スタックからの電力を取り出す出力端子が、エンドプレートから突出して設けられ、出力端子は、集電板と電気的に接続される。また、エンドプレートと集電板との間には、スペーサが配置され、一対のエンドプレートが側板によって締結された際にスタックに対して積層方向から加わる荷重が、スペーサの厚みによって調整される（ステップＳ１１）。
【００４６】
一対のエンドプレートには、スタックに燃料ガスを供給する供給口、スタック内を通った燃料ガスが排出される排出口、スタックに酸化剤ガスを供給する供給口、スタック内を通過した酸化剤ガスが排出される排出口、スタックに冷却流体を供給する供給口およびスタック内を通過した冷却流体が排出される排出口がそれぞれ設けられている。
【００４７】
スタック化工程では、複数の燃料電池セルで構成されるスタック、集電板、一対のエンドプレート、側板、出力端子およびスペーサによって構成されるスタック化が行われ、燃料電池が作製される。作製された燃料電池は、発電検査工程に送られる。
【００４８】
発電検査工程では、スタック化工程で作製された燃料電池を公知の発電検査方法によって、燃料電池にガスリークが発生しているか否かが検査され、燃料電池の性能評価が行われる（ステップＳ１２）。ガスリークの発生が検出された燃料電池は、不良品として廃棄され（ステップＳ１４）、ガスリークの発生が検出されなかった燃料電池は、出荷工程に送られる。
【００４９】
例えば、膜電極接合体１０の不良部位があり、識別マーク形成工程においてアノードＧＤＬ２１の一部にダメージ痕であるひび割れＨを生じさせてかかる部分を破損させている場合に、発電検査工程においてガスリークを発生させることができる。したがって、仮に外観検査工程で複合電解質膜２０のしわＭを検出できなかったとしても、発電検査工程で不良品として検出することができ、市場に不良品が流出するのを防ぐことができる。
【００５０】
発電検査工程では、例えば、燃料電池に対して乾湿サイクル試験を行いガスリークの有無が検査される。乾湿サイクル試験においては、燃料電池を所定の高温にして、所定時間の乾燥状態での燃料電池へのガス供給による発電と、相対湿度１００％での燃料電池へのガス供給による発電とを１サイクルとして、このサイクルが繰り返し行われる。
【００５１】
燃料電池へのガス供給は、燃料ガスを供給口から供給するとともに、酸化剤ガスを他の供給口から供給し、さらに冷却流体を他の供給口から供給することで行われる。これらの供給により、燃料電池が発電する。乾湿サイクル試験の後、燃料電池に直流電圧が印加され、燃料電池から検出される定常電流値に基づき、定常電流値とガスリークとの関係から燃料電池に生じたガスリークを検査することができる。
【００５２】
出荷工程においては、発電検査工程において、ガスリークの発生が検出されなかった燃料電池が梱包され、製品の確認および出荷数の確認が行われる。梱包された製品は、所定の行き先に送られ、燃料電池の製造が終了する（ステップＳ１３）。
【００５３】
以上のように構成された実施形態に係る膜電極接合体１０の検査方法の効果について説明する。
【００５４】
本実施形態に係る膜電極接合体１０の検査方法は、膜電極接合体１０の不良部位を検出する工程（ステップＳ４）と、不良部位が検出された膜電極接合体１０の不良部位に識別マークを形成する識別マーク形成工程（ステップＳ５）を備え、識別マーク形成工程では、膜電極接合体１０の不良部位を押圧してアノードＧＤＬ２１にダメージ痕であるひび割れＨを形成し、アノードＧＤＬ２１のひび割れＨによって電解質膜２２にしわＭを形成する。
【００５５】
その結果、従来の検査方法において発生していた問題、即ち、膜電極接合体の電解質膜に貼り付けられたラベルが搬送工程などの製造工程で搬送ロールなどの製造設備に接触して、膜電極接合体から剥がれて消失してしまうという問題、が解消されるという効果が得られる。即ち、本実施形態に係る膜電極接合体１０の検査方法は、膜電極接合体１０の不良部位を検出し、膜電極接合体１０にひび割れＨ及びしわＭという識別マークを物理的に形成するので、識別マークが膜電極接合体１０から剥がれて消失することはなく、不良部位を確実に検出することができるという効果が得られる。
【００５６】
また、本実施形態に係る膜電極接合体１０の検査方法では、膜電極接合体１０のアノードＧＤＬの一部にひび割れＨを生じさせているが、電解質膜２２は破断されていないので、接合工程から裁断工程で長尺状の膜電極接合体１０が裁断されて枚葉状の膜電極接合体１０になるまでの間、長尺状の膜電極接合体１０の搬送に支障を来すことはないという効果が得られる。また、枚葉状の膜電極接合体１０になっても、膜電極接合体１０が分離しないので、その後の搬送にも支障を来すことはないという効果が得られる。
【００５７】
また、本実施形態に係る膜電極接合体１０の検査方法は、識別マーク形成工程において、膜電極接合体１０の不良部位を押圧して、アノードＧＤＬ２１の一部にダメージ痕であるひび割れＨを生じさせてかかる部分を破損させているので、後の発電検査工程（ステップＳ１２）において、ガスリークが検出され、確実に不良品を検出することができる。その結果、市場への不良品の流出を未然に防止することができるという効果が得られる。
【００５８】
さらに、本実施形態に係る膜電極接合体１０の検査方法は、膜電極接合体１０にしわＭを物理的に形成するので、ラベルなどの作製や、ラベルなどの部材に掛かるコストが無くなり、生産コストが低減されるという効果が得られる。また、搬送速度の変化に対応することも可能となる。
【００５９】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【符号の説明】
【００６０】
１０・・・膜電極接合体、２０・・・複合電解質膜、２１・・・アノードＧＤＬ、２２・・・電解質膜、２３・・・アノード触媒層、２４・・・カソード触媒層、３０・・・接合装置、３０ａ、３０ｂ・・・接合ロール、４０・・・送りロール、５０・・・検出カメラ、６０・・・識別マーク形成装置、６１・・・Ｖブロック、６１ａ・・・溝、６２・・・押圧棒、７０・・・巻取ロール、Ｈ・・・ひび割れ（識別マーク）、Ｍ・・・しわ（識別マーク）
【図１】
2019071199.tif 000003
【図２】
2019071199.tif 000004
【図３】
2019071199.tif 000005
【図４】
2019071199.tif 000006
【図５】
2019071199.tif 000007